(57)【要約】      （修正有）【課題】管理が簡単でありかつプラグコネクタの公差に依存しない電気特性を有するプラグコネクタシステムを提供する。【解決手段】プラグコネクタシステム１０は、第１のプラグコネクタ１００および第２のプラグコネクタ２００を備える。第１のプラグコネクタは、シールドスリーブ１１０を有する。第２のプラグコネクタは、シールドブッシング２１０を有する。シールドスリーブは、外面に少なくとも部分的に円周方向のビード１４０を有する。シールドブッシングは、複数のばね要素２３０を有する。第１のプラグコネクタは、シールドスリーブがシールドブッシング内に部分的に受け取られ、ビードがばね要素に接触するように、第２のプラグコネクタに接続することができる。【選択図】図１
2020198302.tif 000002
【特許請求の範囲】
【請求項１】
第１のプラグコネクタ（１００）および第２のプラグコネクタ（２００）を有するプラグコネクタシステム（１０）であって、
前記第１のプラグコネクタ（１００）は、シールドスリーブ（１１０）を有し、
前記第２のプラグコネクタ（２００）は、シールドブッシング（２１０）を有し、
前記シールドスリーブ（１１０）は、外面（１３０）に、少なくとも部分的に円周方向のビード（１４０）を有し、
前記シールドブッシング（２１０）は、複数のばね要素（２３０）を有し、
前記第１のプラグコネクタ（１００）は、前記シールドスリーブ（１１０）が前記シールドブッシング（２１０）内に部分的に受け取られ、前記ビード（１４０）が前記ばね要素（２３０）に接触するように、前記第２のプラグコネクタ（２００）に接続することができる、
プラグコネクタシステム（１０）。
【請求項２】
前記ばね要素（２３０）は、前記シールドブッシング（２１０）の径方向（２１２）に撓むことができる、
請求項１に記載のプラグコネクタシステム（１０）。
【請求項３】
前記ばね要素（２３０）は、応力を受けない状態で屈曲している、
請求項１または２に記載のプラグコネクタシステム（１０）。
【請求項４】
前記ばね要素（２３０）は、前記シールドブッシング（２１０）の長手方向（２１１）に向けられたビームとして形成され、
各前記ばね要素（２３０）は、前記シールドブッシング（２１０）の開端（２２０）から反対側を向いている第１の長手方向端（２３１）と、前記シールドブッシング（２１０）の前記開端（２２０）の方を向いている第２の長手方向端（２３２）とを有している、
請求項１から３のいずれか一項に記載のプラグコネクタシステム（１０）。
【請求項５】
各前記ばね要素（２３０）は、その第１の長手方向端（２３１）で締め付けられている、
請求項４に記載のプラグコネクタシステム（１０）。
【請求項６】
それぞれの前記ばね要素（２３０）は、その第２の長手方向端（２３２）で締め付けられている、
請求項４または５に記載のプラグコネクタシステム（１０）。
【請求項７】
ぞれぞれの前記ばね要素（２３０）の前記第２の長手方向端（２３２）は自由である、
請求項４または５に記載のプラグコネクタシステム（１０）。
【請求項８】
前記シールドブッシング（２１０）は、その開端（２２０）に、外方屈曲部（２４０）を有し、
前記第２の長手方向端（２３２）は、ぞれぞれの前記ばね要素（２３０）の場合に前記屈曲部（２４０）に当たっている、
請求項７に記載のプラグコネクタシステム（１０）。
【請求項９】
前記第２のプラグコネクタ（２００）は、外側ハウジング（３００）を有し、
前記シールドブッシング（２１０）は、前記外側ハウジング（３００）内に配置され、
ぞれぞれの前記ばね要素（２３０）の前記第２の長手方向端（２３２）が前記外側ハウジング（３００）に当たるように、前記シールドスリーブ（１１０）を前記シールドブッシング（２１０）に押し込むことによって、前記ばね要素（２３０）を撓ませることができる、
請求項２または７に記載のプラグコネクタシステム（１０）。
【請求項１０】
前記外側ハウジング（３００）は、前記シールドブッシング（２１０）の方を向いている面（３１０）に突出部（３２０）を有し、
それぞれの前記ばね要素（２３０）の前記第２の長手方向端（２３２）は、前記外側ハウジング（３００）の前記突出部（３２０）に当たる、
請求項９に記載のプラグコネクタシステム（１０）。
【請求項１１】
前記プラグコネクタシステム（１０）は、高周波信号を伝送するように形成されている、
請求項１から１０のいずれか一項に記載のプラグコネクタシステム（１０）。
【請求項１２】
前記プラグコネクタシステム（１０）は、指定の最大周波数で高周波信号を伝送するように形成され、
前記ビード（１４０）は、ベース（１５０）に前記シールドスリーブ（１１０）の長手方向端（１２０）から間隔（１６５）を有し、
前記間隔（１６５）は、前記プラグコネクタシステム（１０）内で伝導される前記最大周波数の波長の５分の１未満、好ましくは前記波長の１０分の１未満である、
請求項１１に記載のプラグコネクタシステム（１０）。
【請求項１３】
シールドスリーブ（１１０）を有する第１のプラグコネクタ（１００）であって、
前記シールドスリーブ（１１０）は、外面（１３０）に、少なくとも部分的に円周方向のビード（１４０）を有し、
前記第１のプラグコネクタ（１００）は、前記シールドスリーブ（１１０）が第２のプラグコネクタ（２００）のシールドブッシング（２１０）内に部分的に受け取られ、前記ビード（１４０）がばね要素（２３０）に接触するように、前記第２のプラグコネクタ（２００）に接続することができる、
第１のプラグコネクタ（１００）。
【請求項１４】
シールドブッシング（２１０）を有する第２のプラグコネクタ（２００）であって、
前記シールドブッシング（２１０）は、複数のばね要素（２３０）を有し、
前記第２のプラグコネクタ（２００）は、前記シールドブッシング（２１０）が第１のプラグコネクタ（１００）のシールドスリーブ（１１０）を部分的に受け取り、ばね要素（２３０）が前記シールドスリーブ（１１０）のビード（１４０）に接触するように、前記第１のプラグコネクタ（１００）に接続することができる、
第２のプラグコネクタ（２００）。
【発明の詳細な説明】
【技術分野】
【０００１】
本特許出願は、第１のプラグコネクタおよび第２のプラグコネクタを有するプラグコネクタシステム、ならびに第１のプラグコネクタおよび第２のプラグコネクタに関する。
【背景技術】
【０００２】
シールドハウジングを有するプラグコネクタシステムが、従来技術で知られている。そのようなプラグコネクタシステムのプラグコネクタはシールドを有し、これらのシールドは、プラグコネクタ同士が接続されると互いに導電接続される。従来技術から知られているそのようなプラグコネクタシステムの変形形態の場合には、プラグコネクタのうちの一方が、ばね要素を含むシールドブッシングを有する。他方のプラグコネクタは、シールドスリーブを有し、このシールドスリーブを相手プラグコネクタのシールドブッシングに押し込むことができる。この場合には、シールドブッシングのばね要素の先端に配置されたコンタクトビードが、シールドスリーブに電気的に接触する。
しかし、この知られている設計には、シールドスリーブのうちコンタクト領域を越えて突出する部分が、シールドの内部に位置するスプール線を形成するという欠点があり、このスプール線の長さは、シールドスリーブの差込み深さに依存する。この結果、電気特性にとって不利、たとえば高周波特性にとって不利になる可能性がある。
【発明の概要】
【発明が解決しようとする課題】
【０００３】
本発明によって対処する課題は、プラグコネクタシステム、第１のプラグコネクタ、および第２のプラグコネクタを提供することからなる。これらの課題は、請求項１に記載の特徴を有するプラグコネクタシステム、請求項１３に記載の第１のプラグコネクタ、および請求項１４に記載の第２のプラグコネクタによって解決される。様々な発展形態は、従属請求項に記載する。
【課題を解決するための手段】
【０００４】
プラグコネクタシステムは、第１のプラグコネクタおよび第２のプラグコネクタを備える。第１のプラグコネクタは、シールドスリーブを有する。第２のプラグコネクタは、シールドブッシングを有する。シールドスリーブは、外面に、少なくとも部分的に円周方向のビードを有する。シールドブッシングは、複数のばね要素を有する。第１のプラグコネクタは、シールドスリーブがシールドブッシング内に部分的に受け取られ、ビードがばね要素に接触するように、第２のプラグコネクタに接続することができる。
【０００５】
有利には、このプラグコネクタシステムの場合には、第１のプラグコネクタのシールドスリーブと第２のプラグコネクタのシールドブッシングとの間の導電接続が、シールドブッシング内に配置されたシールドスリーブの外面の少なくとも部分的に円周方向のビードによって形成される。その結果、このプラグコネクタシステム内には、シールド内に位置するスプール線が形成されておらず、特に寸法がシールドブッシング内のシールドスリーブの差込み深さに依存するスプール線がない。したがって、このプラグコネクタシステムは、有利には、管理が簡単でありかつプラグコネクタの公差に依存しない電気特性を有することができる。
【０００６】
さらなる利点は、ばね要素のコンタクト領域が、ばね要素の内面に配置され、その結果として保護されることからなる。
【０００７】
このプラグコネクタシステムのさらなる利点は、ばね要素が第２のプラグコネクタのシールドブッシングに形成されることによる。第２のプラグコネクタのシールドブッシングは第１のプラグコネクタのシールドスリーブを受け取るため、シールドブッシングは、その一部を、第２のプラグコネクタの外側ハウジング内に配置することができる。この場合には、シールドブッシングのばね要素は、有利には、損傷から保護される。
【０００８】
一実施形態では、ばね要素は、シールドブッシングの径方向に撓むことができる。その結果、有利には、第１のプラグコネクタのシールドスリーブを第２のプラグコネクタのシールドブッシングに簡単に差し込むことができる。この場合には、シールドブッシングのばね要素は、シールドスリーブの外面の少なくとも部分的に円周方向のビードに押し付けられ、その結果、シールドブッシングとシールドスリーブとの間に導電接続が形成される。
【０００９】
一実施形態では、ばね要素は、応力を受けない状態で屈曲している。有利には、その結果、シールドブッシングのばね要素がシールドスリーブのビードに及ぼす押圧力を指定することができる。特定の利点は、シールドスリーブをシールドブッシングに差し込む際に、ばね要素がビードに及ぼす押圧力が実質的に一定のままでありまたは所望の値範囲内にあるように、ばね要素を屈曲させることができる。
【００１０】
一実施形態では、ばね要素は、シールドブッシングの長手方向に向けられたビームとして形成される。この場合には、各ばね要素は、シールドブッシングの開端から反対側を向いている第１の長手方向端と、シールドブッシングの開端の方を向いている第２の長手方向端とを有している。有利には、ばね要素のそのような設計は、ばね要素によってシールドスリーブのビードへの導電接続を形成するのに特に非常に好適である。
【００１１】
一実施形態では、各ばね要素は、その第１の長手方向端で締め付けられている。これは、各ばね要素が、その第１の長手方向端で、シールドブッシングの他の部分に実質的に均一に密着して接続されていることを意味する。有利には、この結果、シールドブッシングの簡単で頑強な設計が得られる。
【００１２】
一実施形態では、各ばね要素は、その第２の長手方向端で締め付けられている。これは、各ばね要素が、その第２の長手方向端で、シールドブッシングの他の部分に実質的に均一に密着して接続されていることを意味する。有利には、この結果、シールドブッシングの簡単で頑強な設計が得られる。
【００１３】
一実施形態では、各ばね要素の第２の長手方向端は自由である。これは、ばね要素が、その第２の長手方向端で、シールドブッシングの他の部分から分離されていることを意味する。次いで、ばね要素の第２の長手方向端は、シールドブッシングの他の部分に対して少なくとも部分的に撓むことができる。
【００１４】
一実施形態では、シールドブッシングは、その開端に、外方屈曲部を有する。この場合には、第２の長手方向端は、各ばね要素の場合に屈曲部に当たっている。シールドブッシングの屈曲部は、有利には、挿入保持具として働くことができ、第１のプラグコネクタのシールドスリーブを第２のプラグコネクタのシールドブッシングに挿入することを簡略化することができる。シールドブッシングのばね要素の第２の長手方向端がシールドブッシングの屈曲部に当たることで、ばね要素の第２の長手方向端の可撓性を制限し、それによって有利には、第１のプラグコネクタのシールドスリーブを第２のプラグコネクタのシールドブッシングに差し込む際、シールドブッシングのばね要素がシールドスリーブの少なくとも部分的に円周方向のビードに及ぼす力が、差込み深さの変化とともにそれほど変動しないようにすることができる。
【００１５】
一実施形態では、第２のプラグコネクタは、外側ハウジングを有する。この場合には、シールドブッシングは、外側ハウジング内に配置される。各ばね要素の第２の長手方向端が外側ハウジングに当たるように、シールドスリーブをシールドブッシングに押し込むことによって、ばね要素を撓ませることができる。有利には、第２のプラグコネクタの外側ハウジングは、第２のプラグコネクタのばね要素に対する保護を与えることができる。有利には、ばね要素の第２の長手方向端が外側ハウジングに当たることで、シールドスリーブをシールドブッシングに差し込む際、ばね要素がシールドスリーブのビードに及ぼす押圧力が、差込み深さの変化とともにそれほど変化しないようにすることができる。
【００１６】
一実施形態では、外側ハウジングは、シールドブッシングの方を向いている面に突出部を有する。この場合には、各ばね要素の第２の長手方向端は、外側ハウジングの突出部に当たるようになっている。有利には、この実施形態の場合には、突出部を成形することによって、シールドブッシングのばね要素がシールドスリーブのビードに及ぼす押圧力の経路を構成することが可能である。
【００１７】
プラグコネクタシステムの一実施形態では、プラグコネクタシステムは、高周波信号を伝送するように形成されている。有利には、このプラグコネクタの場合には、高周波信号の伝送は、シールドスリーブおよびシールドブッシングによってシールドをもたらすことによって可能になる。
【００１８】
プラグコネクタシステムの一実施形態では、プラグコネクタシステムは、指定の最大周波数で高周波信号を伝送するように形成される。この場合には、ビードは、ベースにシールドスリーブの長手方向端から間隔を有する。この間隔は、プラグコネクタシステム内で伝導される最大周波数の波長の５分の１未満、好ましくは波長の１０分の１未満である。有利には、このプラグコネクタシステムの場合には、シールドのない領域に実質的なスプール線は形成されない。
【００１９】
以下、本発明の上記の特性、特徴、および利点について、図に関連してより詳細に説明する。これらの図で、各場合において概略図で示されている。
【図面の簡単な説明】
【００２０】
【図１】シールドスリーブを含む第１のプラグコネクタと、シールドブッシングを含む第２のプラグコネクタとを有するプラグコネクタシステムの部分側面図である。
【図２】第１のプラグコネクタのシールドスリーブの斜視図である。
【図３】第２のプラグコネクタのシールドブッシングの斜視図である。
【図４】第１のプラグコネクタおよび第２のプラグコネクタを相互に差し込んだ際のプラグコネクタシステムの一部分の部分側面図である。
【図５】第１のプラグコネクタおよび第２のプラグコネクタを相互に差し込んだ際のプラグコネクタシステムの一部分の部分側面図である。
【図６】第１のプラグコネクタおよび第２のプラグコネクタを相互に差し込んだ際のプラグコネクタシステムの一部分の部分側面図である。
【図７】第１のプラグコネクタおよび第２のプラグコネクタを相互に差し込んだ際のプラグコネクタシステムの一部分の部分側面図である。
【図８】第２のプラグコネクタのシールドブッシングのさらなる変形形態の斜視図である。
【図９】第２のプラグコネクタのシールドブッシングのさらなる変形形態の斜視図である。
【図１０】第１のプラグコネクタのシールドスリーブのさらなる変形形態の斜視図である。
【図１１】シールドスリーブのこの変形形態の側面図である。
【図１２】第１のプラグコネクタのシールドスリーブのさらなる変形形態の斜視図である。
【発明を実施するための形態】
【００２１】
図１は、第１のプラグコネクタ１００および第２のプラグコネクタ２００を有するプラグコネクタシステム１０の概略部分側面図を示す。見やすいように、第１のプラグコネクタ１００の一部および第２のプラグコネクタ２００の一部のみが図１に示されている。この図は、シールドを保証するプラグコネクタシステム１０のシールドハウジングに実質的に制限されている。たとえば、プラグコネクタシステム１０は、高周波信号を伝送することを想定することができる。
【００２２】
プラグコネクタシステム１０の第１のプラグコネクタ１００は、シールドスリーブ１１０を有する。図１は、シールドスリーブ１１０の一部のみを示す。図２は、第１のプラグコネクタ１００のシールドスリーブ１１０の一部の斜視図を示す。
【００２３】
シールドスリーブ１１０の基本的な形状は、シールドスリーブ１１０の長手方向１１１に沿って延びる中空の円筒管である。この場合には、シールドスリーブ１１０は、たとえば図２に示すように、円形の断面を有することができる。別法として、シールドスリーブ１１０はまた、長円形の断面、矩形の断面、または別の断面を有することもできる。シールドスリーブ１１０の長手方向端１２０で、シールドスリーブ１１０は開いている。シールドスリーブ１１０は、導電性材料、たとえば金属を有する。
【００２４】
管状シールドスリーブ１１０の外側面は、シールドスリーブ１１０の外面１３０を形成する。この外面１３０に、シールドスリーブ１１０は、円周方向のビード１４０を有する。ビード１４０は、厚くした部分として形成され、シールドスリーブ１１０の外面１３０の他の部分より上に立ち上がっている。この場合には、ビード１４０は、外面１３０の周りに環状に延びており、シールドスリーブ１１０の長手方向１１１に対して直角に向けられている。ビード１４０は、シールドスリーブ１１０のコンタクト領域を形成する。ビード１４０は、閉じた環状で外面１３０を囲むことができる。別法として、ビード１４０は、円周方向に１つまたは複数の切れ目を有することができ、したがってビード１４０は、一部のみ円周方向に形成される。
【００２５】
ビード１４０は、シールドスリーブ１１０の長手方向端１２０の可能な限り近くに配置されると好都合である。図１および図２に示す例では、ビード１４０の幅１６０は、ビード１４０のベース１５０で長手方向１１１に測定される。この場合には、ビード１４０のベース１５０は、ビード１４０のうちシールドスリーブ１１０の他の外面１３０に一体になる領域として示されている。さらに、図１および図２の例におけるビード１４０は、シールドスリーブ１１０の長手方向端１２０から間隔１６５を有し、間隔１６５は、ビード１４０のベース１５０とシールドスリーブ１１０の長手方向端１２０との間で長手方向１１１に測定される。
【００２６】
間隔１６５は、間隔１６５がプラグコネクタシステム１０内で最大周波数で伝導される波長の５分の１未満、またはさらにはこの波長の１０分の１未満になるように、プラグコネクタシステム１０によって伝送される高周波信号の最大周波数に適合されると好都合である。この場合には、プラグコネクタシステム１０によって伝送される高周波信号の最大周波数は、プラグコネクタシステム１０内で単一モードで伝送することができる最高周波数とすることができる。
【００２７】
プラグコネクタシステム１０の第２のプラグコネクタ２００は、図１に完全には示されていないシールドブッシング２１０を有する。図３は、シールドブッシング２１０の斜視図を示す。
【００２８】
シールドブッシング２１０の基本的な形状は、シールドブッシング２１０の長手方向２１１に沿って延びる中空の円筒管である。中空の円筒管の長手方向端は、シールドブッシング２１０の開端２２０を形成する。シールドブッシング２１０は、たとえば図３に示すように、シールドスリーブ１１０に整合する断面、したがって円形の断面を有する。
【００２９】
図１で、第２のプラグコネクタ２００のシールドブッシング２１０は、第１のプラグコネクタ１００のシールドスリーブ１１０よりやや大きい直径を有することがわかる。その結果、第１のプラグコネクタ１００のシールドスリーブ１１０を第２のプラグコネクタ２００のシールドブッシング２１０内に少なくとも部分的に受け取ることができる。第１のプラグコネクタ１００および第２のプラグコネクタ２００が相互に差し込まれることによって、プラグコネクタシステム１０の第１のプラグコネクタ１００および第２のプラグコネクタ２００が互いに接続されている場合、第１のプラグコネクタ１００のシールドスリーブ１１０は、第２のプラグコネクタ２００のシールドブッシング２１０に部分的に差し込まれる。この場合には、シールドスリーブ１１０の長手方向端１２０は、シールドブッシング２１０の開端２２０に貫入する。
【００３０】
第２のプラグコネクタ２００のシールドブッシング２１０は、複数のばね要素２３０を有する。ばね要素２３０は、シールドブッシング２１０の開端２２０に配置される。ばね要素２３０は、シールドブッシング２１０の長手方向２１１に沿って向けられたビームとして形成される。この場合には、シールドブッシング２１０の各ばね要素２３０が、第１の長手方向端２３１および第２の長手方向端２３２を有する。ばね要素２３０の第１の長手方向端２３１は、シールドブッシング２１０の開端２２０から反対側を向いている。ばね要素２３０の第２の長手方向端２３２は、シールドブッシング２１０の開端２２０の方を向いている。第１の長手方向端２３１で、ばね要素２３０は、シールドブッシング２１０の他の部分に接続される。その結果、各ばね要素２３０は、その第１の長手方向端２３１で締め付けられる。ばね要素２３０の第２の長手方向端２３２は、互いにもシールドブッシング２１０の他の部分にも接続されておらず、その結果として自由である。
【００３１】
第１のプラグコネクタ１００を第２のプラグコネクタ２００に接続する際に、第１のプラグコネクタ１００のシールドスリーブ１１０が第２のプラグコネクタ２００シールドブッシング２１０内へ押し込まれた場合、シールドスリーブ１１０の外面１３０に配置されたビード１４０が、シールドブッシング２１０のばね要素２３０の領域内で、シールドブッシング２１０の内面２２５に接触する。これを図１に示す。その結果、第１のプラグコネクタ１００のシールドスリーブ１１０と第２のプラグコネクタ２００のシールドブッシング２１０との間に導電接続が形成される。
【００３２】
第２のプラグコネクタ２００のシールドブッシング２１０のばね要素２３０は、シールドブッシング２１０の径方向２１２に撓ませることができる。第１のプラグコネクタ１００のシールドスリーブ１１０のビード１４０の外径および第２のプラグコネクタ２００のシールドブッシング２１０の内径は、シールドスリーブ１１０をシールドブッシング２１０に差し込む際にばね要素２３０がシールドブッシング２１０の径方向２１２に弾性的に撓むように互いに適合される。その結果、シールドブッシング２１０のばね要素２３０とシールドスリーブ１１０のビード１４０との間の確実な接触を保証することができる。
【００３３】
シールドブッシング２１０のばね要素２３０がシールドスリーブ１１０のビード１４０に及ぼすばね力は、シールドブッシング２１０へのシールドスリーブ１１０の差込み深さに対してそれほど変化しないと好都合である。この場合には、シールドブッシング２１０に差し込む際、シールドブッシング２１０のばね要素２３０がシールドスリーブ１１０のビード１４０に及ぼす力は、シールドブッシング２１０内のシールドスリーブ１１０のすべての位置で実質的に同じままである。シールドブッシング２１０のばね要素２３０がシールドスリーブ１１０のビード１４０に及ぼすばね力は、接触力と呼ぶこともできる。
【００３４】
差込み深さに実質的に依存しない接触力は、たとえば、シールドブッシング２１０のばね要素２３０が簡単なビーム形状から逸脱した形状で形成されることから実現することができる。たとえば、シールドスリーブ１１０をシールドブッシング２１０に差し込む際のばね要素２３０の径方向２１２の撓みが、すべての差込み深さで実質的に一定のままであるように、シールドブッシング２１０の内面２２５にばね要素２３０の外形を作ることができる。別の可能性は、差込み深さに実質的に依存しないばね要素２３０の復元力を実現するために、その長手方向に沿って可変の厚さまたは幅を有するばね要素２３０を形成することからなる。
【００３５】
図４〜図７は、第２のプラグコネクタ２００のさらに可能な設計を示し、それによって、シールドブッシング２１０のばね要素２３０とシールドスリーブ１１０のビード１４０との間で、シールドブッシング２１０へのシールドスリーブ１１０の差込み深さに実質的に依存しない接触力を実現することができる。各場合には、第１のプラグコネクタ１００のシールドスリーブ１１０の一部および第２のプラグコネクタ２００のシールドブッシング２１０のばね要素２３０が示されている。
【００３６】
この変形形態では、第２のプラグコネクタ２００は、一部のみ示されている外側ハウジング３００をさらに有する。シールドブッシング２１０は、外側ハウジング３００内に配置される。外側ハウジング３００は、シールドブッシング２１０の方を向いている内面３１０を有する。外側ハウジング３００の内面３１０に突出部３２０が配置されているが、これは省略することもできる。
【００３７】
図４〜図７は、第２のプラグコネクタ２００のシールドブッシング２１０への第１のプラグコネクタ１００のシールドスリーブ１１０の差込み深さが図４の図から図７の図へ増分的に増大するように、第１のプラグコネクタ１００および第２のプラグコネクタ２００を相互に差し込む手順を示す。図４の図では、シールドスリーブ１１０は、シールドブッシング２１０にまだ少しも貫入していない。図７に示す配置は、終了位置に対応することができ、したがって第１のプラグコネクタ１００および第２のプラグコネクタ２００が相互に完全に差し込まれた状態に対応することができる。
【００３８】
図５、図６、および図７で、第１のプラグコネクタ１００のシールドスリーブ１１０のビード１４０が、第２のプラグコネクタ２００のシールドブッシング２１０のばね要素２３０を第２のプラグコネクタ２００の径方向２１２に撓ませることがわかる。この場合には、ばね要素２３０の第２の長手方向端２３２は、外側ハウジング３００の内面３１０に配置された突出部３２０に当たる。突出部３２０が存在しない場合、ばね要素２３０の第２の長手方向端２３２は、外側ハウジング３００の内面３１０に直接当たるはずである。
【００３９】
シールドブッシング２１０のばね要素２３０の第２の長手方向端２３２が外側ハウジング３００の内面３１０に当たる結果、ばね要素２３０の第２の長手方向端２３２がシールドブッシング２１０の径方向２１２にさらに撓まないことが実現される。その結果、ばね要素２３０は、シールドブッシング２１０へのシールドスリーブ１１０の差込み深さがさらに増大すると、３点変形に応じて変形する。その結果、シールドブッシング２１０のばね要素２３０がシールドスリーブ１１０のビード１４０に及ぼす接触力が、さらに増大する差込み深さに対して実質的に一定のままであることが実現される。
【００４０】
図８は、プラグコネクタシステム１０の第２のプラグコネクタ２００のシールドブッシング２１０のさらに可能な設計の図を示す。図を簡単にするために、図８は、伸ばされた状態でシールドブッシング２１０を示し、シールドブッシング２１０の円筒形の基本的な形状の側面を伸ばして平板を形成している。実際には、シールドブッシング２１０は、長手方向２１１に平行な軸の周りで屈曲して中空の円筒形を形成する。
【００４１】
図８に示すシールドブッシング２１０の変形形態でも、ばね要素２３０は、第１の長手方向端２３１で締め付けられており、第２の長手方向端２３２で自由である。この場合には、ばね要素２３０は、シールドブッシング２１０の他の部分からスロット２６０によって分離される。図８に示すシールドブッシング２１０の変形形態では、図１および図３に示すシールドブッシング２１０の変形形態とは対照的に、各場合に隣接するばね要素２３０間にウエブ２７０が配置される。その結果、図８に示すシールドブッシング２１０の変形形態は、大きいねじれ剛性を有することができる。
【００４２】
図８に示すシールドブッシング２１０の変形形態と、図１および図３に示すシールドブッシング２１０の変形形態とのさらなる違いは、図８に示すシールドブッシング２１０の変形形態のばね要素２３０が、応力を受けない状態で、第１の長手方向端２３１と第２の長手方向端２３２との間に配置されたばね要素２３０の中間部分がシールドブッシング２１０の内部へ突出するように屈曲していることである。
【００４３】
図８に示すシールドブッシング２１０の変形形態は、その開端２２０に、外方屈曲部２４０をさらに有する。この外方屈曲部２４０は、たとえば、第１のプラグコネクタ１００のシールドスリーブ１１０を第２のプラグコネクタ２００のシールドブッシング２１０に挿入することを容易にする保持具２５０を形成することができる。
【００４４】
図８に示すシールドブッシング２１０の変形形態のばね要素２３０は、ばね要素２３０の第２の長手方向端２３２が屈曲部２４０に当たるように屈曲している。その結果、第１のプラグコネクタ１００のシールドスリーブ１１０をシールドブッシング２１０に押し込む際、ばね要素２３０の第２の長手方向端２３２がシールドブッシング２１０の径方向２１２にさらに撓まないことが実現される。その結果、図８に示すシールドブッシング２１０の変形形態の場合にも、シールドスリーブ１１０をシールドブッシング２１０に差し込む際、ばね要素２３０が３点変形に応じて変形することが実現される。これにより、シールドブッシング２１０のばね要素２３０がシールドスリーブ１１０のビード１４０に及ぼす接触力が、シールドブッシング２１０内のシールドスリーブ１１０の差込み深さにほぼ依存しないことを可能にすることができる。
【００４５】
図９は、第２のプラグコネクタ２００のシールドブッシング２１０のさらなる変形形態の図である。図８の図と同様に、図を簡単にするために、図９のシールドブッシング２１０は、伸ばした形状で示されている。
【００４６】
図９に示すシールドブッシング２１０の変形形態は、ばね要素２３０の第２の長手方向端２３２が自由ではなく締め付けられていることから、図１、図３、および図８に示すシールドブッシング２１０の変形形態とは異なる。したがって、ばね要素２３０の第２の長手方向端２３２は、第１の長手方向端２３１と同様に、互いにかつシールドブッシング２１０の他の部分に実質的に均一に密着して接続される。ばね要素２３０は、第１の長手方向端２３１と第２の長手方向端２３２との間でのみ、スロット２６０によって互いから分離される。
【００４７】
図９に示すシールドブッシング２１０の変形形態の場合には、応力を受けない状態にあるばね要素２３０は、第１の長手方向端２３１と第２の長手方向端２３２との間に配置されたばね要素２３０の中間部分が、シールドブッシング２１０によって囲まれた空間へ突出するように屈曲している。図９に示すシールドブッシング２１０の変形形態の場合には、ばね要素２３０間にウエブは形成されない。しかし、ばね要素２３０間に配置された屈曲していないウエブを有する図９に示すシールドブッシング２１０の変形形態を形成することも可能である。ばね要素２３０間にウエブが配置されていない図９に示す変形形態には、シールドブッシング２１０のばね要素２３０とシールドスリーブ１１０のビード１４０との間に大きいコンタクト領域が形成されるという利点がある。
【００４８】
図９に示すシールドブッシング２１０の変形形態もまた、その開端２２０に、外方屈曲部２４０を有する。これは、第１のプラグコネクタ１００のシールドスリーブ１１０を第２のプラグコネクタ２００のシールドブッシング２１０に挿入することを容易にする働きをすることができる。
【００４９】
図１０および図１１は、プラグコネクタシステム１０の第１のプラグコネクタ１００のシールドスリーブ１１０のさらに可能な設計の概略図を示す。この場合には、図１０は斜視図を示し、図１１は側面図を示す。
【００５０】
図１０および図１１に示すシールドスリーブ１１０の変形形態は、図１０および図１１に示すシールドスリーブ１１０の変形形態のビード１４０が、円周方向に閉じた形状で形成されていないことから、図１および図２に示すシールドスリーブ１１０の変形形態とは異なる。代わりに、ビード１４０は、シールドスリーブ１１０の外面１３０の一部のみにわたって円周方向に延びる。図１０および図１１に示す例では、ビード１４０は２つの部分を備え、２つの部分は、各場合に９０°の角度を囲み、各場合に９０°の間隙によって互いから隔置される。しかし、ビード１４０はまた、異なる形でシールドスリーブ１１０の外面１３０の周りに部分的に延びる異なる数の部分に細分することもできる。
【００５１】
ビード１４０に加えて、シールドスリーブ１１０は、図１０および図１１に示す変形形態では、さらなるビード１４５を有する。さらなるビード１４５も同様に、シールドスリーブ１１０の外面１３０の周りに円周方向に部分的に延びる。さらなるビード１４５は、ビード１４０に対して平行かつシールドスリーブ１１０の長手方向１１１に対して直角に向けられている。この場合には、さらなるビード１４５は、さらなるビード１４５がビード１４０よりシールドスリーブ１１０の長手方向端１２０から遠くに離れて隔置されるように、シールドスリーブ１１０の長手方向１１１にビード１４０からずれている。
【００５２】
図示の例では、さらなるビード１４５のいくつかの部分は、ビード１４０のいくつかの部分に対して相補形になるように形成され、したがってさらなるビード１４５の個々の部分は、シールドスリーブ１１０の円周方向において、ビード１４０が間隙を有する角度範囲を正確に覆い、逆も同様である。したがって、図１０および図１１に示す例では、さらなるビード１４５は同様に、２つの部分を有し、２つの部分は、各場合に９０°の角度を囲み、各場合に９０°の間隙によって互いから隔置される。しかし、異なる形でシールドスリーブ１１０の外面１３０の周りに部分的に延びる異なる数の部分および異なる寸法の部分を有するさらなるビード１４５を形成することも可能である。
特に、ビード１４０のいくつかの部分およびさらなるビード１４５のいくつかの部分がシールドスリーブ１１０の円周方向に重複すること、またはシールドスリーブ１１０の外面１３０が円周方向に角度部分を有し、これらの角度部分にビード１４０のいくつかの部分もしくはさらなるビード１４５のいくつかの部分がどちらも配置されないことも可能である。
【００５３】
プラグコネクタシステム１０の第１のプラグコネクタ１００のシールドスリーブ１１０が、図１０および図１１に示すように形成された場合、第１のプラグコネクタ１００を第２のプラグコネクタ２００に接続する際に、第２のプラグコネクタ２００のシールドブッシング２１０のばね要素２３０のうちのいくつかは、ビード１４０のいくつかの部分に接触するが、対照的に第２のプラグコネクタ２００のシールドブッシング２１０の他のばね要素２３０は、第１のプラグコネクタ１００のシールドスリーブ１１０のさらなるビード１４５のいくつかの部分に接触する。第１のプラグコネクタ１００および第２のプラグコネクタ２００を相互に差し込む際、ビード１４０のいくつかの部分に接触するばね要素２３０は、さらなるビード１４５のいくつかの部分に接触するばね要素２３０より早い段階で撓む。その結果、第１のプラグコネクタ１００および第２のプラグコネクタ２００を相互に差し込む際に作用する力が、差込み深さにそれほど依存しないことが実現される。
【００５４】
図１２は、プラグコネクタシステム１０の第１のプラグコネクタ１００のシールドスリーブ１１０のさらに可能な設計の概略斜視図を示す。
【００５５】
図１２に示すシールドスリーブ１１０の変形形態の場合には、ビード１４０は、シールドスリーブ１１０の外面１３０に、円周方向に閉じた形状で形成される。しかし、この変形形態のビード１４０は、シールドスリーブ１１０の長手方向１１１に対して直角に向けられていない。代わりに、ビード１４０は、シールドスリーブ１１０の円周方向において、ビード１４０のいくつかの部分がビード１４０の他の部分よりシールドスリーブ１１０の長手方向端１２０の近くに配置されるように形成される。
【００５６】
プラグコネクタシステム１０の第１のプラグコネクタ１００のシールドスリーブ１１０が、図１２に示す例と同様に形成された場合、第１のプラグコネクタ１００および第２のプラグコネクタ２００を相互に差し込む際、第２のプラグコネクタ２００のシールドブッシング２１０のばね要素２３０のいくつかは、シールドブッシング２１０の他のばね要素２３０より早い段階で、第１のプラグコネクタ１００のシールドスリーブ１１０のビード１４０によって撓む。その結果、図１２に示すシールドスリーブ１１０の構成でも、第１のプラグコネクタ１００および第２のプラグコネクタ２００を相互に差し込む際に生じる力が、相互に差し込む際にそれほど変化しないことが実現される。
【００５７】
また、記載する第１のプラグコネクタを、記載する第２のプラグコネクタ以外のプラグコネクタに接続して、プラグコネクタシステムを形成することもできる。
【００５８】
また、記載する第２のプラグコネクタを、記載する第１のプラグコネクタ以外のプラグコネクタに接続して、プラグコネクタシステムを形成することもできる。
【符号の説明】
【００５９】
１０  プラグコネクタシステム
１００  第１のプラグコネクタ
１１０  シールドスリーブ
１１１  シールドスリーブの長手方向
１２０  シールドスリーブの長手方向端
１３０  外面
１４０  ビード
１４５  さらなるビード
１５０  ベース
１６０  幅
１６５  間隔
２００  第２のプラグコネクタ
２１０  シールドブッシング
２１１  シールドブッシングの長手方向
２１２  シールドブッシングの径方向
２２０  シールドブッシングの開端
２２５  内面
２３０  ばね要素
２３１  第１の長手方向端
２３２  第２の長手方向端
２４０  屈曲部
２５０  保持具
２６０  スロット
２７０  ウエブ
３００  外側ハウジング
３１０  内面
３２０  突出部
【図１】
2020198302.tif 000003
【図２】
2020198302.tif 000004
【図３】
2020198302.tif 000005
【図４】
2020198302.tif 000006
【図５】
2020198302.tif 000007
【図６】
2020198302.tif 000008
【図７】
2020198302.tif 000009
【図８】
2020198302.tif 000010
【図９】
2020198302.tif 000011
【図１０】
2020198302.tif 000012
【図１１】
2020198302.tif 000013
【図１２】
2020198302.tif 000014
【外国語明細書】
2020198302000001.pdf